(57)【要約】【課題】シャッターチャンスを逃す可能性を低減すると共に、再生モードに切り替えてすぐに机の上等に安定して置くことを可能とする。【解決手段】光学系が筐体の前面から突出する繰り出し状態と光学系が筐体に収納される沈胴状態との間で状態を遷移可能であるレンズ鏡筒と、繰り出し状態にあるレンズ鏡筒の光学系を通して形成された被写体像を撮像して画像情報を出力する撮像手段と、筐体の姿勢を検出する姿勢検出手段と、撮影モードと再生モードとの間で動作モードを切り替えるモード設定部と、モード設定部が動作モードを撮影モードに設定したときにはレンズ鏡筒を繰り出し状態に遷移させ、モード設定部が動作モードを再生モードに設定しておりかつレンズ鏡筒が繰り出し状態でありかつ姿勢検出手段が筐体の前面が下向きであると検出したときにはレンズ鏡筒を沈胴状態に遷移させる沈胴制御部と、を備える。【選択図】図６
2012165157.tif 000002
【特許請求の範囲】
【請求項１】
外装を構成する筐体と、
光学系を有し、前記筐体の前面に設けられ、前記光学系が前記筐体の前面から突出する繰り出し状態と前記光学系が前記筐体に収納される沈胴状態との間で状態を遷移可能であるレンズ鏡筒と、
前記繰り出し状態にある前記レンズ鏡筒の前記光学系を通して形成された被写体像を撮像して画像情報を出力する撮像手段と、
前記筐体の姿勢を検出する姿勢検出手段と、
前記撮像手段が撮像を行う撮影モードと、前記撮像手段が撮像を行わないその他のモードとの間で動作モードを切り替えるモード設定部と、
前記モード設定部が動作モードを前記撮影モードに設定したときには前記レンズ鏡筒を前記繰り出し状態に遷移させ、前記モード設定部が動作モードを前記その他のモードに設定しておりかつ前記レンズ鏡筒が前記繰り出し状態でありかつ前記姿勢検出手段が前記筐体の前面が下向きであると検出したときには前記レンズ鏡筒を前記沈胴状態に遷移させる、沈胴制御部と、
を備えた撮像装置。
【請求項２】
前記モード設定部が、前記レンズ鏡筒が前記繰り出し状態であるときに動作モードを前記撮影モードから前記その他のモードに設定したときには、前記沈胴制御手段は、遅くとも所定時間経過後に前記レンズ鏡筒を沈胴状態に遷移させる、
請求項１記載の撮像装置。
【発明の詳細な説明】
【技術分野】
【０００１】
本発明は、静止画及び動画の撮影が可能な撮像装置に関し、再生機能を有する撮像装置に関する。
【背景技術】
【０００２】
デジタルカメラ等の撮像装置において、撮影時にはレンズ鏡筒がカメラの筐体から繰り出されて突出し、再生時においてはレンズ鏡筒が筐体に収納されるように構成されたものが知られている（例えば、特許文献１参照。）。特許文献１によれば、このような第１の従来の撮像装置は、カメラを撮影モードに切り替えるとレンズ鏡筒が繰り出されて撮影可能な状態となり、一方、再生モードに切り替えるとレンズ鏡筒が収納される。
【０００３】
また、第２の従来の撮像装置として、撮像装置を撮影モードから再生モードに切り替えてから一定時間経過後に、レンズ鏡筒を収納する構成としたものがある。第２の従来の撮像装置によれば、撮影後に再生モードに切り替えて記録画像を確認し、一定時間内に再度撮影モードに切り替えるような操作をした場合には、レンズ鏡筒は繰り出されたままとなる。したがって、再度撮影モードに切り替えた際にレンズ鏡筒を繰り出す必要がなく、素早く撮影を再開することができる。
【先行技術文献】
【特許文献】
【０００４】
【特許文献１】特開２００７−２３５９８０号公報
【発明の概要】
【発明が解決しようとする課題】
【０００５】
上記第２の従来の撮影装置は、再生モードに切り替えてから一定時間経過後にレンズを収納する。すなわち、レンズ鏡筒の収納まで一定時間を要する。このために、一定時間内にレンズを下向き（撮像装置の前面を下向き）の状態で撮影装置を置こうとすると、レンズ鏡筒がまだ収納されていないためにレンズ鏡筒が邪魔になり、机の上等に安定した状態で置くことができないという課題があった。また、第１の従来の撮像装置のように、再生モードに切り替えてすぐにレンズ鏡筒を収納する構成とすると、再度、撮影モードに切り替えた際にレンズ鏡筒を繰り出すのに時間が掛かり、撮影可能となるまでの時間が掛かる。このためシャッターチャンスを逃す可能性があった。
【０００６】
本発明は上記課題を解決し、シャッターチャンスを逃す可能性を低減すると共に、再生モードに切り替えてすぐに机の上等に安定して置くことが可能な撮像装置を提供することを目的とする。
【課題を解決するための手段】
【０００７】
上記課題を解決するために本発明の撮像装置は、外装を構成する筐体と、光学系を有し、筐体の前面に設けられ、光学系が筐体の前面から突出する繰り出し状態と光学系が筐体に収納される沈胴状態との間で状態を遷移可能であるレンズ鏡筒と、繰り出し状態にあるレンズ鏡筒の光学系を通して形成された被写体像を撮像して画像情報を出力する撮像手段と、筐体の姿勢を検出する姿勢検出手段と、撮像手段が撮像を行う撮影モードと、撮像手段が撮像を行わないその他のモードとの間で動作モードを切り替えるモード設定部と、モード設定部が動作モードを撮影モードに設定したときにはレンズ鏡筒を繰り出し状態に遷移させ、モード設定部が動作モードをその他のモードに設定しておりかつレンズ鏡筒が繰り出し状態でありかつ姿勢検出手段が筐体の前面が下向きであると検出したときにはレンズ鏡筒を沈胴状態に遷移させる沈胴制御部と、を備える。
【発明の効果】
【０００８】
本発明によれば、シャッターチャンスを逃す可能性を低減すると共に、再生モードに切り替えてすぐに机の上等に安定して置くことが可能な撮像装置を提供することができる。
【図面の簡単な説明】
【０００９】
【図１】実施の形態１に係るデジタルカメラ１００の前面構成図
【図２】実施の形態１に係るデジタルカメラ１００の背面構成図
【図３】実施の形態１に係るデジタルカメラ１００の電気的構成図
【図４】実施の形態１に係るデジタルカメラ１００のモード切替処理を示すフローチャート
【図５】実施の形態１に係るデジタルカメラ１００の撮影モードにおける処理を示すフローチャート
【図６】実施の形態１に係るデジタルカメラ１００の再生モードにおける処理を示すフローチャート
【発明を実施するための形態】
【００１０】
〔実施の形態１〕
実施の形態１のデジタルカメラ１００は、再生モードにおいてレンズの沈胴処理を行う際に、デジタルカメラの姿勢を検出し、姿勢情報に基づいて沈胴制御を行う。以下、デジタルカメラ１００の構成および動作を説明する。
【００１１】
〔１．デジタルカメラ１００の構成〕
以下、図面を用いてデジタルカメラ１００の構成を説明する。
【００１２】
図１は、デジタルカメラ１００の前面構成図である。デジタルカメラ１００は、筐体１０５の前面に光学系１１０を納めるレンズ鏡筒１０８や、フラッシュ１６０を備える。レンズ鏡筒１０８は、光学系１１０が筐体１０５の前面から突出する繰り出し状態と、光学系１１０が筐体１０５に収納される沈胴状態との間で状態を遷移可能である。レンズ鏡筒１０８は、モータ（図示せず）により駆動されて繰り出し状態および沈胴状態の間で遷移可能である。
【００１３】
また、デジタルカメラ１００は筐体１０５の上面に静止画レリーズ釦２０１、ズームレバー２０２、および電源釦２０３等の操作釦を備える。
【００１４】
図２は、デジタルカメラ１００の背面構成図である。デジタルカメラ１００は筐体１０５の背面に液晶モニタ１２３、中央釦２０４、十字釦２０５およびモード切替スイッチ２０７等の操作釦を備える。
【００１５】
図３は、デジタルカメラ１００の電気的構成図である。デジタルカメラ１００は、光学系１１０を介して形成された被写体像をＣＣＤイメージセンサ１２０で撮像する。ＣＣＤイメージセンサ１２０は撮像した被写体像に基づく画像情報を生成する。撮像により生成された画像情報は、ＡＦＥ（アナログ・フロント・エンド）１２１や画像処理部１２２において各種処理が施される。生成された画像情報はフラッシュメモリ１４２やメモリカード１４０に記録される。なお、以下では画像情報はメモリカード１４０に記録されるものとして説明する。メモリカード１４０に記録された画像情報は、使用者による操作部１５０の操作を受け付けて液晶モニタ１２３上に表示される。以下、図１から図３に示す各構成の詳細を説明する。
【００１６】
光学系１１０は、フォーカスレンズ１１１、ズームレンズ１１２、絞り１１３、およびシャッタ１１４等により構成される。図示していないが、光学系１１０は、光学式手ぶれ補正レンズＯＩＳ（Ｏｐｔｉｃａｌ  Ｉｍａｇｅ  Ｓｔａｂｉｌｉｚｅｒ）を含んでいてもよい。なお、光学系１１０を構成する各種レンズは何枚から構成されるものでも、何群から構成されるものでもよい。
【００１７】
フォーカスレンズ１１１は被写体のフォーカス状態の調節に用いられる。ズームレンズ１１２は被写体の画角の調節に用いられる。絞り１１３は、ＣＣＤイメージセンサ１２０に入射する光量の調節に用いられる。シャッタ１１４は、ＣＣＤイメージセンサ１２０に入射する光の露出時間を調節する。フォーカスレンズ１１１、ズームレンズ１１２、絞り１１３、シャッタ１１４は、それぞれに対応したＤＣモータやステッピングモータ等の駆動手段により、コントローラ１３０から通知された制御信号に従って駆動される。
【００１８】
ＣＣＤイメージセンサ１２０は複数の画素を含み、光学系１１０を通して形成された被写体像を撮像して画像情報を生成する。ＣＣＤイメージセンサ１２０は、デジタルカメラ１００が撮影モードにあるとき、一定時間毎に新しいフレームの画像情報を生成することができる。
【００１９】
ＡＦＥ（Ａｎａｌｏｇ  Ｆｒｏｎｔ  Ｅｎｄ）１２１では、ＣＣＤイメージセンサ１２０から読み出された画像情報に対して相関二重サンプリングによる雑音抑圧、アナログゲインコントローラによるＡ／Ｄコンバータの入力レンジ幅への増幅、Ａ／ＤコンバータによるＡ／Ｄ変換が施される。その後、ＡＦＥ１２１は画像情報を画像処理部１２２に出力する。
【００２０】
画像処理部１２２は、ＡＦＥ１２１から出力された画像情報に対して各種の処理を施す。各種処理としては、スミア補正、ホワイトバランス補正、ガンマ補正、ＹＣ変換処理、電子ズーム処理、縮小処理、圧縮処理、伸張処理等が挙げられるが、これらに限定されるものではない。画像処理部１２２は、各種処理を施した画像情報をバッファメモリ１２４に記憶する。画像処理部１２２は、ハードワイヤードな電子回路で構成してもよいし、マイクロコンピュータがプログラムを実行することにより実現してもよい。またコントローラ１３０等と共に１つの半導体チップで構成してもよい。
【００２１】
液晶モニタ１２３は、デジタルカメラ１００の背面に備わる。液晶モニタ１２３は、画像処理部１２２にて処理された画像情報に基づく画像を表示する。液晶モニタ１２３が表示する画像には、スルー画像や記録画像がある。スルー画像は、液晶モニタ１２３に表示される、ＣＣＤイメージセンサ１２０により一定時間ごとに生成される新しいフレームの画像である。通常は、デジタルカメラ１００が撮影モードにあるときに、ＣＣＤイメージセンサ１２０がスルー画像情報を生成する。生成されたスルー画像情報に対して画像処理部１２２が所定の処理を行い、さらにその画像情報に基づいて、液晶モニタ１２３がスルー画像を表示する。使用者は、液晶モニタ１２３に表示されるスルー画像を参照することにより、被写体の構図を確認しながら撮影できる。記録画像は、デジタルカメラ１００が再生モードにあるときに、メモリカード１４０等に記録された高画素の記録画像情報を液晶モニタ１２３に表示するために画像処理部１２２にて低画素に縮小した画像情報に基づいて表示される画像である。なお、メモリカード１４０等に記録される高画素の記録画像情報は、使用者による静止画レリーズ釦２０１の操作を受け付けた後に、ＣＣＤイメージセンサ１２０が生成した画像情報に基づいて画像処理部１２２により生成される。
【００２２】
コントローラ１３０は、デジタルカメラ１００全体の動作を統括制御する。また、コントローラ１３０は、画像処理部１２２で処理された後バッファメモリ１２４に記憶された画像情報を、メモリカード１４０等の記録媒体へ記録画像情報として記録する。
【００２３】
コントローラ１３０は、モード設定部１３１および沈胴制御部１３２を備える。モード設定部１３１は、モード切替スイッチ２０７（後述）の状態を検出し、デジタルカメラの動作モードを撮影モードおよび再生モードのいずれかに切り替える。沈胴制御部１３２は、レンズ鏡筒１０８のモータを駆動することにより、レンズ鏡筒１０８を繰り出し状態および沈胴状態の間で遷移させる。
【００２４】
コントローラ１３０は、プログラム等の情報を格納するＲＯＭや、プログラムを実行することにより各種情報を処理するＣＰＵ等により構成される。ＲＯＭは、ファイル制御、オートフォーカス制御（ＡＦ制御）や自動露出制御（ＡＥ制御）、フラッシュ１６０の発光制御に関するプログラムの他、デジタルカメラ１００全体の動作を統括制御するためのプログラムを格納している。
【００２５】
コントローラ１３０は、ハードワイヤードな電子回路で構成してもよいし、マイクロコンピュータなどで構成してもよい。また、画像処理部１２２などと共に１つの半導体チップで構成してもよい。また、ＲＯＭはコントローラ１３０の内部構成である必要はなく、コントローラ１３０の外部に備わったものでもよい。
【００２６】
バッファメモリ１２４は、画像処理部１２２やコントローラ１３０のワークメモリとして機能する記憶手段である。バッファメモリ１２４はＤＲＡＭ（Ｄｙｎａｍｉｃ  Ｒａｎｄｏｍ  Ａｃｃｅｓｓ  Ｍｅｍｏｒｙ）などで実現できる。また、フラッシュメモリ１４２は、画像情報等を記録するための内部メモリとして機能する。
【００２７】
カードスロット１４１は、メモリカード１４０を着脱可能な接続手段である。カードスロット１４１は、メモリカード１４０を電気的及び機械的に接続可能である。また、カードスロット１４１は、メモリカード１４０を制御する機能を備えてもよい。
【００２８】
メモリカード１４０は、内部にフラッシュメモリ等の記録部を備えた外部メモリである。メモリカード１４０は、画像処理部１２２で処理される画像情報等のデータを記録可能である。
【００２９】
操作部１５０は、デジタルカメラ１００の外装に備わっている操作釦や操作ダイヤルの総称であり、使用者による操作を受け付ける。例えば図１や図２に示した静止画レリーズ釦２０１、ズームレバー２０２、電源釦２０３、中央釦２０４、十字釦２０５、モード切替スイッチ２０７などがこれにあたる。操作部１５０は使用者による操作を受け付けると、コントローラ１３０に種々の動作指示信号を通知する。
【００３０】
姿勢センサ１７０は、物理量を電気信号に変換するセンサの一種であり、デジタルカメラ１００が備える光学系１１０の光軸方向の、重力方向（鉛直方向）に対する相対的な角度（姿勢）を検出し、この角度を姿勢情報として出力する。姿勢センサ１７０は、加速度センサを用いてもよいし、その他のセンサやそれらの組み合わせにより姿勢を検出してもよい。また、姿勢センサ１７０はアナログ信号としてコントローラ１３０に信号伝送してもよいし、デジタル信号として信号伝送してもよい。
【００３１】
静止画レリーズ釦２０１は、半押し状態と全押し状態の二段階押下式釦である。静止画レリーズ釦２０１が使用者により半押しされると、コントローラ１３０は、ＡＦ（Ａｕｔｏ  Ｆｏｃｕｓ）制御や、ＡＥ（Ａｕｔｏ  Ｅｘｐｏｓｕｒｅ）制御を実行し撮影条件を決定する。続いて、静止画レリーズ釦２０１が、使用者により全押しされると、コントローラ１３０は、全押しのタイミングに撮像された画像情報を静止画像としてメモリカード１４０等に記録する。以下、単に静止画レリーズ釦２０１を押下すると記載する場合は、全押しを示すものとする。
【００３２】
ズームレバー２０２は画角を広角端と望遠端との間で調節するための中央位置自己復帰式のレバーである。ズームレバー２０２は、使用者により操作されるとコントローラ１３０にズームレンズ１１２を駆動するための動作指示信号を通知する。すなわち、ズームレバー２０２が広角端側に操作されると、コントローラ１３０は、被写体を広角で捉えられるようにズームレンズ１１２を駆動する。同様に、ズームレバー２０２が望遠端側に操作されると、コントローラ１３０は、被写体を望遠で捉えられるようにズームレンズ１１２を駆動する。
【００３３】
電源釦２０３は、デジタルカメラ１００を構成する各部への電力供給をＯＮ／ＯＦＦするための押下式釦である。電源ＯＦＦ時に電源釦２０３が使用者により押下されると、コントローラ１３０はデジタルカメラ１００を構成する各部に電力を供給し、起動させる。また、電源ＯＮ時に電源釦２０３が使用者により押下されると、コントローラ１３０は各部への電力供給を停止する。
【００３４】
中央釦２０４は、押下式釦である。デジタルカメラ１００が撮影モードあるいは再生モードにあるときに、中央釦２０４が使用者により押下されると、コントローラ１３０は液晶モニタ１２３にメニュー画面を表示する。メニュー画面は、撮影／再生のための各種条件を設定するための画面である。各種条件の設定項目が選択されているときに押下されると、中央釦２０４は決定釦としても機能する。
【００３５】
十字釦２０５は、上下左右方向に設けられた押下式釦である。使用者は、十字釦２０５のいずれかの方向を押下することにより、液晶モニタ１２３に表示される各種条件項目を選択することができる。
【００３６】
モード切替スイッチ２０７は、上下方向に設けられたスライドスイッチである。使用者はモード切替スイッチ２０７をいずれかの方向にスライドさせることにより、デジタルカメラ１００の動作モードを、撮影モード、再生モードに切り替えることができる。
【００３７】
なお、ＣＣＤイメージセンサ１２０は、撮像手段の一例である。コントローラ１３０は、モード設定手段の一例である。コントローラ１３０は、沈胴制御手段の一例である。姿勢センサ１７０は、姿勢検出手段の一例である。
【００３８】
〔２．動作〕
図４は、デジタルカメラ１００のモード切替処理を示すフローチャートである。使用者が電源釦２０３を操作することによりデジタルカメラ１００に電源が投入されると、まずモード設定部１３１は、モード切替スイッチ２０７の方向により、現在の動作モードを判断し（ステップＳ４０１）、動作モードを撮影モードおよび再生モードのいずれかに切り替える。撮影モードの場合（ステップＳ４０１において「撮影モード」）、撮影モードの動作に移行する（ステップＳ４０３）。撮影モードにおいては、まずレンズ鏡筒１０８を繰り出し状態としてから待機状態に移行する。撮影モードの動作の詳細については後述する。撮影モードにおいて、使用者によって動作モードが再生モードに切り替えられるか、電源釦２０３が操作されると撮影モードを終了してステップＳ４０５に進む。一方、再生モードの場合（ステップＳ４０１において「再生モード」）、再生モードの動作に移行する（ステップＳ４０４）。デジタルカメラ１００は、使用者の再生時の使い勝手を向上させるために、レンズ鏡筒の沈胴タイミングを制御する。再生モードの動作の詳細については後述する。再生モードにおいて、使用者によって動作モードが撮影モードに切り替えられるか、電源釦２０３が操作されると再生モードを終了してステップＳ４０５に進む。ステップＳ４０５において、コントローラ１３０は電源釦２０３が操作されたかどうかを判断する。電源釦２０３が操作されたと判断した場合（ステップＳ４０５において「Ｙｅｓ」）、コントローラ１３０は所定の終了処理を行った後に各部への電源供給を終了し、デジタルカメラ１００の電源がＯＦＦとなる。一方、電源釦２０３が操作されていないと判断した場合（ステップＳ４０５において「Ｎｏ」）、再度ステップＳ４０１に戻って処理を繰り返す。
【００３９】
〔２−１  撮影モード時の動作〕
デジタルカメラ１００の撮影モードについて説明する。
【００４０】
図５は、デジタルカメラ１００の撮影モードにおける処理を示すフローチャートである。デジタルカメラ１００の電源が入った状態から、使用者がモード切替スイッチ２０７を撮影モード側に操作する（または、電源が切れておりモード切替スイッチ２０７が撮影モード側に入った状態で電源釦２０３を操作する）と、コントローラ１３０は各部を制御し、デジタルカメラ１００の動作モードを撮影モードに切り替え、レンズ鏡筒の繰り出し動作を行う（ステップＳ５０１）。具体的には、レンズ鏡筒１０８の状態が繰り出し状態でなければ、沈胴制御部１３２がレンズ鏡筒１０８を繰り出して繰り出し状態とする。
【００４１】
その後、コントローラ１３０は各部を制御して液晶モニタ１２３にスルー画像を表示して待機状態に移行する（ステップＳ５０２）。具体的には、撮影モードにおいてＣＣＤイメージセンサ１２０は撮像動作を行い、スルー画像情報を出力する。そしてＡＦＥ１２１および画像処理部１２２は、ＣＣＤイメージセンサ１２０から出力されるスルー画像情報に対して順次処理を行う。液晶モニタ１２３は、画像処理部１２２から出力されるスルー画像情報をスルー画像として表示する。なお、撮影モードにおいて、スルー画像を表示しつつ使用者の操作を受付可能な状態を待機状態と呼ぶ。
【００４２】
待機状態において、コントローラ１３０は、静止画レリーズ釦２０１が押されたかどうかを判断する（ステップＳ５０３）。静止画レリーズ釦２０１が押されたと判断した場合（ステップＳ５０３において「Ｙｅｓ」）、撮像した画像情報の記録処理を行う（ステップＳ５０５）。具体的には、ＣＣＤイメージセンサ１２０が撮像した画像情報に対して画像処理部１２２が上述したような処理を行う。その後、その画像情報をコントローラ１３０がメモリカード１４０に記録する。記録処理が終了すると、再びステップＳ５０２の待機状態に戻る。
【００４３】
静止画レリーズ釦２０１が押されていないと判断した場合（ステップＳ５０３において「Ｎｏ」）、次に撮影モードを終了するかどうか判断する（ステップＳ５０４）。具体的には、使用者によってモード切替スイッチ２０７が再生モード側に操作されるか、電源釦２０３が操作されると撮影モードを終了すると判断し（ステップＳ５０４において「Ｙｅｓ」）、撮影モードの動作を終了する。そうでない場合（ステップＳ５０４において「Ｎｏ」）、再びステップＳ５０２の待機状態に戻る。
【００４４】
〔２−２  再生モード時の動作〕
次に再生時の動作について説明する。
【００４５】
図６は、デジタルカメラ１００の再生モードにおける処理を示すフローチャートである。デジタルカメラ１００の電源が入った状態から、使用者がモード切替スイッチ２０７を再生モード側に操作する（または、電源が切れておりモード切替スイッチ２０７が再生モード側に入った状態で電源釦２０３を操作する）と、コントローラ１３０は各部を制御し、デジタルカメラ１００の動作モードを再生モードに切り替える。コントローラ１３０は、再生モードにおいて、メモリカード１４０に記録されている画像情報を読み出して液晶モニタ１２３に表示するように各部を制御する（ステップＳ６０１）。このとき適宜、使用者によって操作部１５０が操作されたのに応じて表示する画像情報を選択する処理を行う。
【００４６】
次に、沈胴制御部１３２は、レンズ鏡筒１０８が沈胴状態かどうか判断する（ステップＳ６０２）。すでにレンズ鏡筒１０８が沈胴状態であれば（ステップＳ６０２において「Ｙｅｓ」）、ステップＳ６０６に進む。レンズ鏡筒１０８が沈胴状態でない（すなわち、繰り出し状態である）場合（ステップＳ６０２において「Ｎｏ」）、次にコントローラ１３０は、姿勢センサ１７０からの姿勢情報を基に本体の姿勢が下向きであるかを判断する（ステップＳ６０３）。ここで下向きであるとは、光学系１１０の光軸方向の、重力方向（鉛直方向）に対する相対的な角度の絶対値が所定の閾値以下である状態であるものとする。姿勢情報によりデジタルカメラ１００が下向きであると判断した場合（ステップＳ６０３において「Ｙｅｓ」）、レンズ鏡筒１０８の沈胴処理を行って（ステップＳ６０５）ステップＳ６０６に進む。姿勢情報によりデジタルカメラ１００が下向きでないと判断した場合（ステップＳ６０３において「Ｎｏ」）、次にコントローラ１３０は、デジタルカメラ１００が再生モードに切り替わったときからの経過時間を確認する（ステップＳ６０４）。一定時間（例えば１５秒）経過していたら（ステップＳ６０４において「Ｙｅｓ」）、レンズ鏡筒１０８の沈胴処理を行って（ステップＳ６０５）ステップＳ６０６に進む。一定時間を経過していないと判断したら（ステップＳ６０４において「Ｎｏ」）、ステップＳ６０６に進む。
【００４７】
ステップＳ６０６において、再生モードを終了するかどうか判断する。具体的には、使用者によってモード切替スイッチ２０７が撮影モード側に操作されるか、電源釦２０３が操作されると再生モードを終了すると判断し（ステップＳ６０６において「Ｙｅｓ」）、再生モードの動作を終了する。そうでない場合（ステップＳ６０６において「Ｎｏ」）、再びステップＳ６０１に戻って再生モードの動作を継続する。
【００４８】
以上説明したように、デジタルカメラ１００が再生モードに移行しても、一定時間が経過するまではレンズ鏡筒１０８の沈胴動作を行わない。これにより、例えば再生モードに切り替えて記録された画像情報を確認した後、すぐに（沈胴動作が行われる前に）撮影モードに切り替えた場合は、レンズ鏡筒１０８の沈胴動作および繰り出し動作が行われない。したがって、繰り出し動作の完了を待つ必要がなく、すぐに撮影を行うことができるため、シャッターチャンスを逃す可能性が低減できる。
【００４９】
一方、一定時間が経過する前であっても、デジタルカメラ１００が下向きとされればすぐにレンズ鏡筒１０８を沈胴させる。これにより、使用者がデジタルカメラ１００を下向きにして机の上等に置こうとするとレンズ鏡筒１０８が沈胴するため、デジタルカメラ１００が下向きであっても安定した状態で置くことができ、レンズの保護ができると共に、液晶モニタに表示される画像が見易いというメリットがある。
【００５０】
このように、デジタルカメラ１００によれば、シャッターチャンスを逃す可能性を低減すると共に、再生モードに切り替えてすぐに机の上等に安定して置くことが可能である。
【００５１】
〔３．他の実施の形態〕
本発明は、上記実施の形態に限定されず、種々の実施形態が考えられる。以下、本発明の他の実施の形態についてまとめて記載する。
【００５２】
上記実施の形態において、画像処理部１２２およびコントローラ１３０は、各々上記のような機能および構成を有するものとして説明したが、各々の持つ機能および構成の一部が他方に含まれるような構成としてもよい。
【００５３】
上記実施の形態において、撮像素子としてＣＣＤイメージセンサ１２０を用いるものとして説明したが、撮像素子はこれには限定されない。例えば、本発明においては、ＣＣＤイメージセンサ１２０に代えて、例えばＣＭＯＳイメージセンサやＮＭＯＳイメージセンサ等、他の撮像素子を用いても良い。また、静止画レリーズ釦２０１は、液晶モニタ１２３上に設けられたタッチパネルによる操作等、他の手段を用いても良い。
【００５４】
上記実施の形態において、ステップＳ６０１の再生画像表示のタイミングは、再生モードの動作の開始直後となっているが、一連の沈胴動作の判断の後等、他のタイミングで処理しても良い。
【産業上の利用可能性】
【００５５】
本発明の撮像装置は、画像の撮像および再生が可能なデジタルスチルカメラ、ムービーカメラ、携帯電話などに対して適用可能である。
【符号の説明】
【００５６】
１００  デジタルカメラ
１０５  筐体
１０８  レンズ鏡筒
１１０  光学系
１１１  フォーカスレンズ
１１２  ズームレンズ
１１３  絞り
１１４  シャッタ
１２０  ＣＣＤイメージセンサ
１２１  ＡＦＥ（アナログ・フロント・エンド）
１２２  画像処理部
１２３  液晶モニタ
１２４  バッファメモリ
１３０  コントローラ
１３１  モード設定部
１３２  沈胴制御部
１４０  メモリカード
１４１  カードスロット
１４２  フラッシュメモリ
１５０  操作部
１６０  フラッシュ
１７０  姿勢センサ
２０１  静止画レリーズ釦
２０２  ズームレバー
２０３  電源釦
２０４  中央釦
２０５  十字釦
２０７  モード切替スイッチ
【図１】
2012165157.tif 000003
【図２】
2012165157.tif 000004
【図３】
2012165157.tif 000005
【図４】
2012165157.tif 000006
【図５】
2012165157.tif 000007
【図６】
2012165157.tif 000008